(57)【要約】【課題】回収された非粘着性台紙の有効利用を図り、環境面で有利な構造を実現すること。【解決手段】粘着シート１０は、矩形シート状に形成され、積層体１１を複数厚さ方向に重ね合わせて構成される。粘着シート１０は、例えば、紙材からなる台紙１２と、台紙１２の一方の表面１２ａ側にコーティングされたシリコン等のコーティング剤からなる非粘着層１３と、台紙１２の他方の表面１２ｂ側に形成されたインク層１４と、台紙１２の他方の表面１２ｂおよびインク層１４上に塗布された粘着剤からなる粘着層１５と、を備えたシート状の積層体１１を、非粘着層１３上に粘着層１５が配置されるように厚さ方向に複数重ね合わせた構造からなる。【選択図】図３
2010043285.tif 000002
【特許請求の範囲】
【請求項１】
紙材からなる台紙と、
該台紙の一方の表面側にコーティングされたシリコン等のコーティング剤からなる非粘着層と、
前記台紙の他方の表面側に形成されたインク層と、
前記台紙の他方の表面および該インク層上に塗布された粘着剤からなる粘着層と、を備えたシート状の複数の積層体を前記非粘着層上に前記粘着層が配置されるように重ね合わせてなる
ことを特徴とする粘着シート。
【請求項２】
前記台紙および前記非粘着層は非粘着性台紙を形成し、
前記非粘着性台紙は、あらかじめ前記非粘着性台紙が裏張りされたシールラベルから回収されたものであり、前記インク層は紫外線硬化型インクからなり、前記粘着層は水溶性粘着剤からなることを特徴とする請求項１記載の粘着シート。
【請求項３】
前記台紙は紙またはフィルムであり、
前記インクは紫外線硬化型インクまたはグラビアインクであり、
前記粘着剤は水溶性粘着剤、ホットメルトおよび溶剤系粘着剤のうちの一つであることを特徴とする請求項１または２記載の粘着シート。
【請求項４】
紙材からなる台紙と、
該台紙の一方の表面側にコーティングされたシリコン等のコーティング剤からなる非粘着層と、
前記台紙の他方の表面側に形成されたインク層と、
前記台紙の他方の表面および該インク層上に塗布された粘着剤からなる粘着層と、を備えたテープ状の積層体を前記非粘着層上に前記粘着層が配置されるように巻き取ってなる
ことを特徴とする粘着テープ。
【発明の詳細な説明】
【技術分野】
【０００１】
本発明は、シールラベルに用いられる粘着シートおよび粘着テープに関する。
【背景技術】
【０００２】
従来より、一般に、例えば製品に貼付するラベルや様々な用途に用いられるシールなどのシールラベルとしては、多種多様なものが知られている。このようなシールラベルは、例えば粘着層を介して非粘着性台紙があらかじめ裏張りされた用紙に、特定情報を印刷したものが一般的である。本出願人は、このようなシールラベルのインク層上に剥離層を付与して、非粘着性台紙を剥がして取り除きつつ、ラベル部分を巻き取り、同時に非粘着性台紙を回収することによって、非粘着性台紙のリサイクルを可能にし、ゴミの増加を抑え環境に及ぼす影響が少ないシールラベルの製造方法を提案している（特許文献１参照）。
【先行技術文献】
【特許文献】
【０００３】
【特許文献１】特許第３０７６８７１号公報
【発明の概要】
【発明が解決しようとする課題】
【０００４】
しかしながら、上記特許文献１記載の方法で回収された非粘着性台紙は、表面にシリコン等のコーティング剤が施してあるため、取り扱いが困難である。
【０００５】
本発明は、このような回収された非粘着性台紙の有効利用が可能で、環境面で有利な構造を備える粘着シートおよび粘着テープを提供することを目的とする。
【課題を解決するための手段】
【０００６】
本発明に係る粘着シートは、紙材からなる台紙と、該台紙の一方の表面側にコーティングされたシリコン等のコーティング剤からなる非粘着層と、前記台紙の他方の表面側に形成されたインク層と、前記台紙の他方の表面および該インク層上に塗布された粘着剤からなる粘着層と、を備えたシート状の複数の積層体を前記非粘着層上に前記粘着層が配置されるように重ね合わせてなることを特徴とする。
【０００７】
上記構成によれば、回収された非粘着を有する台紙の有効利用が図れ、環境面で有利な構造を実現することができる。
【０００８】
また、本発明に係る粘着シートにおいては、前記台紙および前記非粘着層は非粘着性台紙を形成し、前記非粘着性台紙は、あらかじめ前記非粘着性台紙が裏張りされたシールラベルから回収されたものであり、前記インク層は紫外線硬化型インクからなり、前記粘着層は水溶性粘着剤からなる。この場合においても、取り扱いが容易で回収された非粘着性台紙の有効利用が図れるとともに環境面で有利な構造を実現することができる。
【０００９】
さらに、本発明に係る粘着シートにおいては、前記台紙は紙またはフィルムであり、前記インクは紫外線硬化型インクまたはグラビアインクであり、前記粘着剤は水溶性粘着剤、ホットメルトおよび溶剤系粘着剤のうちの一つである。
【００１０】
本発明に係る粘着テープは、紙材からなる台紙と、該台紙の一方の表面側にコーティングされたシリコン等のコーティング剤からなる非粘着層と、前記台紙の他方の表面側に形成されたインク層と、前記台紙の他方の表面および該インク層上に塗布された粘着剤からなる粘着層と、を備えたテープ状の積層体を前記非粘着層上に前記粘着層が配置されるように巻き取ってなることを特徴とする。
【００１１】
上記構成によれば、回収された非粘着層を有する台紙の有効利用が図れ、環境面で有利な構造を実現することができる。
【発明の効果】
【００１２】
本発明によれば、回収された非粘着性台紙の有効利用が図れ、環境面で有利な構造を備える粘着シートおよび粘着テープを提供することができる。
【図面の簡単な説明】
【００１３】
【図１】本発明の一実施形態に係る粘着シートの全体構成の一例を示す外観斜視図である。
【図２】同粘着シートを構成する積層体の構造の一例を示す断面図である。
【図３】同粘着シートを構成する積層体の積層構造の一例を示す断面図である。
【図４】本発明の他の実施形態に係る粘着テープの全体構成の一例を示す外観斜視図である。
【発明を実施するための形態】
【００１４】
次に、本発明に係る粘着シートおよび粘着テープの実施形態について図面に基づいて説明する。
【００１５】
図１は、本発明の一実施形態に係る粘着シートの全体構成の一例を示す外観斜視図である。また、図２は、同粘着シートを構成する積層体の構造の一例を示す断面図である。また、図３は、同粘着シートを構成する積層体の積層構造の一例を示す断面図である。
【００１６】
図１に示すように、粘着シート１０は、例えば矩形シート状に形成され、積層体１１を複数厚さ方向に重ね合わせて構成されている。このような構成の粘着シート１０は、図２に示すように、例えば、紙材からなる台紙１２と、この台紙１２の一方の表面１２ａ側にコーティングされたシリコン（Ｓｉ）などのコーティング剤からなる非粘着層１３と、台紙１２の他方の表面１２ｂ側に形成されたインク層１４と、台紙１２の他方の表面１２ｂおよびインク層１４上に塗布された粘着剤からなる粘着層１５と、を備えたシート状の積層体１１を、図３に示すように、非粘着層１３上に粘着層１５が配置されるように厚さ方向に複数重ね合わせた構造からなる。
【００１７】
台紙１２は、例えば通常入手可能なタック紙であり、リンテック株式会社製のＳＳ上質タック紙、ＳＳホイルタック紙、ＳＳアートタック紙、ＳＳグロスタック紙、王子タック社製の上質タック紙、ミラコートタック紙、ホイルタック紙、およびアートタック紙などが好適であるが、これらに限定されるものではなく、フィルムを用いてもよい。また、台紙１２は、その片面（他の表面１２ｂ）にインク層１４を形成し得る材質のものであれば特に限定されるものではない。この台紙１２は、従来のシールラベルの粘着紙の台紙（すなわち、非粘着性台紙）をリサイクルしたものであってもよい。
【００１８】
非粘着層１３は、台紙１２の一方の表面１２ａ側にコーティングされたシリコンなどの滑り剤（コーティング剤）からなる。なお、上述したようにシールラベルに裏張りされた台紙１２を非粘着性台紙として回収した場合は、この非粘着層１３と台紙１２とで非粘着性台紙を構成する。インク層１４は、台紙１２の他方の表面１２ｂ側に、例えば印刷によって形成され、台紙１２の材質に応じて適宜決定されるものであり、例えば鉱油性インク、乾性植物油インク、樹脂性インクなどが好適であるが、紫外線硬化型インクやグラビアインクであってもよい。
【００１９】
粘着層１５は、この表面１２ｂおよびインク層１４上に塗布された少なくとも１種類の粘着剤からなり、例えば水溶性粘着剤が環境面においても好適であり、アクリルエマルション樹脂系粘着剤、天然ゴム系粘着剤、合成ゴム系粘着剤、アクリル樹脂系粘着剤、ウレタン樹脂系粘着剤、シリコン樹脂系粘着剤、ポリビニルエーテル樹脂系粘着剤などが好適である。その他、ホットメルトや溶剤系粘着剤を用いることもできる。
【００２０】
このように構成された粘着シート１０によれば、従来のシールラベルのように剥離層（剥離紙）や保護層などが不要となる。また、シールラベルに裏張りされた非粘着性台紙をリサイクルして粘着シート１０の台紙１２（非粘着層１３を含む）として使用することができる。このため、回収された非粘着層１３を有する台紙１２（非粘着性台紙）の有効利用が図れ、環境面で有利な構造を実現することができる。
【００２１】
また、この粘着シート１０によれば、インク層１４が粘着層１５と台紙１２の表面１２ｂとの間に形成されているため、粘着層１５とインク層１４との接着力をインク層１４と台紙１２との接着力より高く（強く）設定すれば、台紙１２を貼着物に対して貼り付けた後に、台紙１２を貼着物から剥がそうとするとインク層１４も破断して剥がれる構造を実現することができる。このため、インク層１４によって特定情報（文字や絵柄など）を構成している場合は、いわゆる開封防止ラベルなどの用途で用いることができ、改竄防止などの用途に使用することもできる。
【００２２】
図４は、本発明の他の実施形態に係る粘着テープの全体構成の一例を示す外観斜視図である。なお、以降において、既に説明した部分と重複する箇所には同一の符号を付して説明を省略する。図４に示すように、粘着テープ２０は、例えばテープ状に形成され、図２に示した積層体１１を非粘着層１３上に粘着層１５が配置されるようにロール芯２１を中心に巻き取って構成されている。積層体１１の構造については上述した粘着シート１０と同様であるためここでは説明を省略する。なお、ロール芯２１を用いずに巻き取って構成されていてもよい。
【００２３】
このように構成された粘着テープ２０によれば、従来のシートラベルのように剥離層（剥離紙）や保護層などが不要となる。また、シールラベルに裏張りされた非粘着性台紙をリサイクルして粘着テープ２０の台紙１２（非粘着層１３を含む）として使用することができる。このため、回収された非粘着層１３を有する台紙１２（非粘着性台紙）の有効利用が図れ、環境面で有利な構造を実現することができる。また、この粘着テープ２０によれば、上記粘着シート１０と同様に、いわゆる開封防止ラベルなどの用途で用いることができ、改竄防止などの用途に使用することが可能となる。
【符号の説明】
【００２４】
１０…粘着シート、１１…積層体、１２…台紙、１３…非粘着層、１４…インク層、１５…粘着層、２０…粘着テープ。
【図１】
2010043285.tif 000003
【図２】
2010043285.tif 000004
【図３】
2010043285.tif 000005
【図４】
2010043285.tif 000006